(57)【特許請求の範囲】
【請求項１】
複数の機能を有しており、各機能に係る情報を表示する表示部を備える電気機器において、  
一の機能に係る情報が表示されている場合、アイコンを作成して表示する指示を受け付ける作成指示受付手段と、
前記一の機能を前記アイコンに対応付けて記憶する記憶部と、
前記アイコンを介して前記一の機能を実行する指示を受け付ける実行指示受付手段と
を備え、
前記記憶部は電子取扱説明書を記憶しており、
前記一の機能に係る情報は、前記電子取扱説明書に含まれている所定の機能に係る説明であり、
前記作成指示受付手段がアイコンを作成して表示する指示を受け付けた場合、前記表示部に表示中の説明の画像に対して文字認識を行ない、前記一の機能を特定するように構成されていることを特徴とする電気機器。
【請求項２】
前記記憶部は他の機能を前記アイコンに対応付けて記憶し、
前記実行指示受付手段は、前記アイコンを介して前記一の機能及び他の機能を実行する指示を受け付けるように構成してあることを特徴とする請求項１に記載の電気機器。
【請求項３】
前記一の機能と、前記他の機能とは連繋して実行できる機能であることを特徴とする請求項２に記載の電気機器。
【請求項４】
前記一の機能と、前記他の機能とは同時に実行できる機能であることを特徴とする請求項２に記載の電気機器。
【請求項５】
前記アイコンを表示すべき位置の指定を受け付ける位置受付手段を備え、
前記表示部は、該位置受付手段が受け付けた指定に係る位置に、前記アイコンを表示するように構成してあることを特徴とする請求項１から４の何れか一つに記載の電気機器。
【発明の詳細な説明】
【技術分野】
【０００１】
本発明は、複数の機能を有しており、各機能に係る情報を表示する表示部を備える電気機器に関する。
【背景技術】
【０００２】
近年のＭＦＰは、多機能化されつつあり、取扱説明書の収録内容も膨大な量となっている。従って、取扱説明書を電子データとして提供することにより、ＰＤＦ、ＷＥＢページから閲覧可能にする場合が多い。
【０００３】
また、特許文献１においては、利用者個々の使い方、習熟度、経験度合い等に応じて、使い勝手が良くなるように取扱説明書の電子データを編集することができる電子画像取扱装置について開示されている。
【先行技術文献】
【特許文献】
【０００４】
【特許文献１】特開２００６−２６０２４９号公報
【発明の概要】
【発明が解決しようとする課題】
【０００５】
一方、上述したように、取扱説明書をＰＤＦ、ＷＥＢページ等から閲覧可能にした場合においては、利用者が一度その操作方法を調べて使用した所定機能を後日再使用する際、その操作方法を忘れてしまったときは、膨大な量の取扱説明書を再度調べなければならず、利用者にとっては、面倒な作業である。しかしながら、特許文献１における電子画像取扱装置においては、取扱説明書をカスタマイズすることにとどまっており、このような問題を解決出来ない。
【０００６】
本発明は、斯かる事情に鑑みてなされたものであり、その目的とするところは、複数の機能を有しており、各機能に係る情報を表示する表示部を備える電気機器において、一の機能に係る情報が表示されている場合、該一の機能に関連付けてアイコンを作成して表示し、前記アイコンを介して前記一の機能を実行する指示を受け付けることにより、同じ機能を使用する際に何度も調べる必要が無く、作成されたアイコンを適宜操作するだけで簡単に斯かる機能の実行が可能である電気機器を提供することにある。
【課題を解決するための手段】
【０００７】
本発明に係る電気機器は、複数の機能を有しており、各機能に係る情報を表示する表示部を備える電気機器において、一の機能に係る情報が表示されている場合、アイコンを作成して表示する指示を受け付ける作成指示受付手段と、前記一の機能を前記アイコンに対応付けて記憶する記憶部と、前記アイコンを介して前記一の機能を実行する指示を受け付ける実行指示受付手段とを備え、前記記憶部は電子取扱説明書を記憶しており、前記一の機能に係る情報は、前記電子取扱説明書に含まれている所定の機能に係る説明であり、前記作成指示受付手段がアイコンを作成して表示する指示を受け付けた場合、前記表示部に表示中の説明の画像に対して文字認識を行ない、前記一の機能を特定するように構成されていることを特徴とする。
【００１０】
本発明に係る電気機器は、前記記憶部は他の機能を前記アイコンに対応付けて記憶し、前記実行指示受付手段は、前記アイコンを介して前記一の機能及び他の機能を実行する指示を受け付けるように構成してあることを特徴とする。
【００１１】
本発明に係る電気機器は、前記一の機能と、前記他の機能とは連繋して実行できる機能であることを特徴とする。
【００１２】
本発明に係る電気機器は、前記一の機能と、前記他の機能とは同時に実行できる機能であることを特徴とする。
【００１３】
本発明に係る電気機器は、前記アイコンを表示すべき位置の指定を受け付ける位置受付手段を備え、前記表示部は、該位置受付手段が受け付けた指定に係る位置に、前記アイコンを表示するように構成してあることを特徴とする。
【発明の効果】
【００１４】
本発明によれば、使用したい機能に係る情報を調べるついでに、該機能を実行させる指示を受け付けるアイコンを作成することにより、同じ機能を使用する際に何度も調べる必要が無く、該アイコンを適宜操作するだけで簡単に斯かる機能の実行が可能である。
【図面の簡単な説明】
【００１５】
【図１】本発明の実施の形態に係る複合機の要部構成を示す機能ブロック図である。
【図２】本発明の実施の形態に係る複合機における、制御部の要部構成を示す機能ブロック図である。
【図３】本発明の実施の形態に係る複合機における、アイコンの作成・表示を説明するフローチャートである。
【図４】本発明の実施の形態に係る複合機において、表示部に表示される電子取扱説明書の一例を示す例示図である。
【図５】本発明の実施の形態に係る複合機において、表示部の表示画面に表示されるアイコン作成画面の一例を示す例示図である。
【図６】本発明の実施の形態に係る複合機において、追加すべき機能の選択を受け付ける処理を説明する説明図である。
【図７】本発明の実施の形態に係る複合機において、表示部の表示画面に表示された特定アイコンの一例を示す例示図である。
【図８】本発明の実施の形態に係る複合機において、表示部の表示画面に表示された特定アイコンの他例を示す例示図である。
【図９】本発明の実施の形態に係る複合機において、表示部の表示画面に表示された特定アイコンの他例を示す例示図である。
【図１０】本発明の実施の形態に係る複合機において、表示部の表示画面に表示された特定アイコンの他例を示す例示図である。
【図１１】本発明の実施の形態に係る複合機において、表示部の表示画面に表示された特定アイコンの他例を示す例示図である。
【図１２】本発明の実施の形態に係る複合機において、表示部の表示画面に表示された特定アイコンの他例を示す例示図である。
【発明を実施するための形態】
【００１６】
以下に、本発明の実施の形態に係る電気機器を、いわゆるタッチパネルの機能を有する複合機に適用した場合を例として、図面に基づいて詳述する。
【００１７】
（第１実施の形態）
図１は本発明の実施の形態に係る複合機１００の要部構成を示す機能ブロック図である。本発明に係る複合機１００は、制御部１、画像入力部２、画像処理部３、画像出力部４、通信部５、操作パネル６、表示部７、記憶部８及びＩ／Ｆ部９等のハードウェアを備え、全体としてデジタル復号機を構成している。
【００１８】
画像入力部２は、原稿の画像データの光学的な読み取りを行う。また、画像入力部２は、読み取り用の原稿に光を照射する光源、例えばＣＣＤ（Charge Coupled Device）のようなイメージセンサ等を有する光学ユニットを備えている。更に、画像入力部２では、所定の読取り位置にセットされた原稿からの反射光像を当該イメージセンサに結像させ、ＲＧＢ（R : Red, G : Green, B : Blue）のアナログ電気信号を出力する。画像入力部２が出力したアナログ電気信号は画像処理部３に入力される。
【００１９】
画像処理部３は、画像入力部２を通じて入力されるアナログ電気信号を基にデジタル形式の画像データを生成し、又は記憶部８に記憶されている画像データを読み出し、夫々の画像の種類に応じた処理を施した後、出力用画像データを生成する。
【００２０】
画像出力部４は、画像処理部３から出力される画像データに基づいて記録用紙、ＯＨＰフィルム等のシート上に画像形成を行って出力する。そのため、画像出力部４は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて使用者が所望する画像をシート上に形成する。なお、レーザ書込装置を用いた電子写真方式により画像形成を行う他、インクジェット方式、熱転写方式、昇華方式等により画像形成を行う構成であってもよい。
【００２１】
通信部５は、画像処理部３にて処理した後の画像データを外部へ送信するネットワークカード、モデム等を備え、例えば、前記画像データをメールに添付して設定された送信先に送信する。
【００２２】
操作パネル６は、複合機１００の重要機能に係る、「コピー」、「印刷」等の機能ボタン、テンキー、受け付けた指示を確定するためのエンターキー等を備えている。
【００２３】
記憶部８は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。記憶部８は、例えば、画像入力部２によって読み取られた原稿の画像データ、画像出力部４における画像形成に係るパラメータの値等が記憶されている。
【００２４】
また、記憶部８は、複合機１００に対する取扱説明書をデータファイルとして記憶している。表示部７は、該取扱説明書のデータファイルに基づいて取扱説明書の内容（以下、電子取扱説明書と言う。）を表示する。
【００２５】
表示部７は、例えば、ＬＣＤ又はＥＬ（Electroluminescence）パネル等からなり、画
像出力部４を介して、所定の記録用紙へ出力（印刷）すべき画像が表示される。また、表示部７は、複合機１００の状態、ジョブ処理の状況、画像入力部２が読み取った原稿の画像及び操作パネル６の操作内容の確認等、使用者に対して報知すべき情報を表示する。
【００２６】
更に、表示部７には、前記電子取扱説明書が表示され、また、後述する機能アイコンが表示される。
【００２７】
また、表示部７において、画像が表示される表示画面の表側には、タッチパネル部７１が設けられている。タッチパネル部７１は、利用者が指先をタッチするタッチ操作により、表示部７の表示画面上における所定位置を検出することができる。タッチパネル部７１は、例えば、利用者の指先のタッチ操作による圧力の変化を検知し、又は静電気による電気信号を検知して、利用者の指先の接触位置に対応する表示部７の表示画面上の座標を検出し、該座標を特定する信号を発生する。また、タッチパネル部７１は、これに限るものでなく、ポインティングデバイス（例えば、スタイラスペン）等を用いる構成であっても良い。
【００２８】
Ｉ／Ｆ部９は、例えば、外部のサーバ、ＰＣ等と接続されている。前記電子取扱説明書に係るデータファイルが、記憶部８に記憶されていない場合は、制御部１は、Ｉ／Ｆを介して前記外部のサーバ、ＰＣ等から前記データファイルを受信するように構成しても良い。
【００２９】
図２は本発明の実施の形態に係る複合機１００における、制御部１の要部構成を示す機能ブロック図である。制御部１は、ＣＰＵ１１と、ＲＯＭ１２と、ＲＡＭ１３と、作成指示受付部１４と、実行指示受付部１５と、位置受付部１６とを備えている。
【００３０】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００３１】
ＣＰＵ１１は、ＲＯＭ１２に予め格納されている制御プログラムをＲＡＭ１３上にロードして実行することによって、上述した各種ハードウェアの制御を行ない、装置全体を本発明の複合機１００として動作させる。  
【００３２】
作成指示受付部１４は、後述する「アイコン作成」ソフトキーを介して、利用者から所定の機能の実行に係るアイコンを作成して表示する指示を受け付ける。
例えば、表示部７に前記電子取扱説明書が表示されている場合において、作成指示受付部１４が斯かる指示を受け付けた場合、ＣＰＵ１１は、表示中の画像に対して、ＯＣＲ処理を施し、パターン・マッチング法によって、表示中の画像の文字認識を行ない、表示中の機能を特定する。また、ＣＰＵ１１は、表示中の画像に対応する機能を実行する指示を受け付ける特定アイコンを作成し、表示部７に表示する。この際、記憶部８は、該特定アイコンと、表示中の機能を対応する機能（以下、対応機能と言う。）として関連付けて記憶する。
【００３３】
また、これに限るものでなく、前記電子取扱説明書のページ毎に予め所定の機能を関連づけておいても良い。
【００３４】
実行指示受付部１５は、前記特定アイコンを介して対応機能を実行する指示を受け付ける。例えば、利用者が指先にて該特定アイコンをタッチ操作した場合、又はマウス（図示せず）を用いて該特定アイコンをダブルクリックした場合、タッチパネル部７１は、特定アイコンの位置に対応する、表示部７の表示画面上の座標を検出し、該座標を特定する信号を制御部１に送信する。この際、実行指示受付部１５は、前記特定アイコンに係る対応機能を実行する指示を受け付ける。
【００３５】
位置受付部１６は、作成される特定アイコンを表示すべき位置の指定を利用者から受け付ける。作成指示受付部１４が所定の機能の実行に係るアイコンを作成して表示する指示を利用者から受け付け、特定アイコンが作成される際、利用者は操作パネル６を適宜操作することにより、作成される特定アイコンを表示すべき位置を指定し、これによって位置受付部１６は斯かる位置の指定を受け付ける。作成される特定アイコンを表示すべき位置としては、例えば、いわゆるホーム画面、所定のディレクトリー内である。
【００３６】
以下において、本発明の実施の形態に係る複合機１００における、特定アイコンの作成及び表示について詳しく説明する。
【００３７】
図３は本発明の実施の形態に係る複合機１００における、アイコンの作成・表示を説明するフローチャートである。
【００３８】
利用者は、表示部７に前記電子取扱説明書を表示させるために、操作パネル６を適宜操作する。この際、ＣＰＵ１１は操作パネル６を介して電子取扱説明書を表示する指示を受け付ける。
【００３９】
ＣＰＵ１１は、受け付けた指示に応じて、記憶部８から前記データファイルを読み出し、これに基づいて、表示部７に電子取扱説明書を表示する（ステップＳ１０１）。
【００４０】
図４は本発明の実施の形態に係る複合機１００において、表示部７に表示される電子取扱説明書の一例を示す例示図である。この際、図４に示すように、表示部７の表示画面７６の下部には、他のページを表示させる指示を受け付けるソフトキーが設けられており、利用者は該ソフトキーを適宜操作して、希望する機能の説明を探すことができる。
【００４１】
また、表示画面７６の右下側には、「アイコン作成」ソフトキー７２が設けられており、作成指示受付部１４は、「アイコン作成」ソフトキー７２を介して、利用者から所定の機能の実行に係るアイコンを作成して表示する指示を受け付ける。
【００４２】
この際、作成指示受付部１４は、「アイコン作成」ソフトキー７２を監視することにより、換言すれば、タッチパネル部７１から送信される信号に基づいて、利用者からアイコンを作成して表示する指示を受け付けたか否かを判定する（ステップＳ１０２）。
【００４３】
作成指示受付部１４は、利用者からアイコンを作成して表示する指示を受け付けていないと判定した場合（ステップＳ１０２：ＮＯ）、斯かる指示を受け付けるまで該判定を繰り返す。この際、表示部７の表示画面７６には前記電子取扱説明書が表示され続ける。
【００４４】
作成指示受付部１４によって、利用者からアイコンを作成して表示する指示を受け付けたと判定された場合（ステップＳ１０２：ＹＥＳ）、ＣＰＵ１１は、アイコン作成に係る設定を受け付けるアイコン作成画面を表示画面７６に表示する（ステップＳ１０３）。
【００４５】
図５は本発明の実施の形態に係る複合機１００において、表示部７の表示画面７６に表示されるアイコン作成画面７７の一例を示す例示図である。
【００４６】
図５に示すように、アイコン作成画面７７には、作成すべきアイコン（特定アイコン）の名称の入力を受け付けるテキストボックスと、作成すべきアイコンに対応する機能（対応機能）を説明するテキストが表示されている。
【００４７】
より詳しくは、現在、表示画面７６には、電子取扱説明書の中でも両面印刷機能に対する説明部分が表示されており、上述したように、ＯＣＲ処理及びパターン・マッチング法によって、表示中の機能が特定され、特定された機能を説明するテキストがアイコン作成画面７７に表示される。
【００４８】
表示画面７６には‘両面印刷’機能に対する説明が表示されているので、図５に示す例においては、アイコン作成画面７７に‘両面印刷’機能を説明する‘一枚の裏・表に印刷する’とのテキストが表示されている。
【００４９】
また、アイコン作成画面７７には、アイコンの作成を実行する指示（以下、作成実行指示と言う。）を受け付ける「作成実行」ソフトキー７３が設けられており、利用者は、前記テキストを確認したうえで、「作成実行」ソフトキー７３を適宜操作し、アイコンの作成を実行するよう指示する。
【００５０】
以上においては、一つの機能を一つのアイコンに関連付けて、アイコンを作成する場合について説明したが、本発明の実施の形態に係る複合機１００においては、これに限るものでない。複数の機能を一つのアイコンに関連付けて、アイコンを作成することも可能である。
【００５１】
このように、複数の機能を一つのアイコンに関連付けてアイコンを作成する指示（以下、機能追加指示と言う。）を受け付けるために、アイコン作成画面７７には、「機能追加」ソフトキー７４が設けられている。利用者は「機能追加」ソフトキー７４を適宜操作することにより、作成すべきアイコンに他の機能を更に関連付けることができる。このように作成されたアイコンを介して、関連付けられている複数の機能を実行する指示が受け付けられる。
【００５２】
更に、アイコン作成画面７７には、アイコン作成を中止する指示を受け付ける「キャンセル」ソフトキー７５が設けられている。
【００５３】
利用者は操作パネル６を適宜操作することにより、アイコン作成画面７７の前記テキストボックスに作成すべきアイコンの名称（例えば‘ＸＸＸＸ’）を書き込む。これによって、ＣＰＵ１１は該テキストボックスを介して、アイコンの名称を受け付け（ステップＳ１０４）、受け付けたアイコンの名称を作成すべきアイコンに付して表示する。
【００５４】
次いで、ＣＰＵ１１は、タッチパネル部７１から送信される信号に基づいて、「作成実行」ソフトキー７３が操作されたか否かを監視することにより、利用者からアイコンの作成実行指示を受け付けたか否かを判定する（ステップＳ１０５）。
【００５５】
ＣＰＵ１１は、利用者からアイコンの作成実行指示を受け付けたと判定した場合（ステップＳ１０５：ＹＥＳ）、現在、表示画面７６に表示中の機能を作成すべきアイコンに関連付けて記憶するよう、記憶部８に指示する。
【００５６】
斯かるＣＰＵ１１の指示に応じて、記憶部８は、表示画面７６に表示中の機能、すなわち本実施例においては‘両面印刷’の機能を、作成すべきアイコンに関連付けて記憶する（ステップＳ１０６）。
【００５７】
以降、例えば、表示画面７６に、利用者から作成されるべきアイコンを表示すべき位置の指定を受け付けるための、ダイアログボックスが表示される。利用者は、操作パネル６を適宜操作することにより、作成されるべきアイコンの表示位置を指定する。この際、位置受付部１６は、前記ダイアログボックスを介して、作成されるべきアイコンの表示位置の指定を受け付ける。
【００５８】
次いで、ＣＰＵ１１は、位置受付部１６が受け付けた、アイコンの表示位置の指定に基づき、特定アイコンを作成して表示する（ステップＳ１０７）。
【００５９】
例えば、利用者が表示された特定アイコンを指先にてタッチした場合、実行指示受付部１５は、前記特定アイコンを介して斯かる対応機能を実行する指示を受け付け、ＣＰＵ１１が該特定アイコンに係る対応機能である‘両面印刷’の機能を実行させる。
【００６０】
一方、ステップＳ１０５において、ＣＰＵ１１が、利用者から前記アイコンの作成実行指示を受け付けていないと判定した場合（ステップＳ１０５：ＮＯ）、タッチパネル部７１から送信される信号に基づいて、「機能追加」ソフトキー７４が操作されたか否かを監視することにより、利用者から前記機能追加指示を受け付けたか否かを更に判定する（ステップＳ１０８）。
【００６１】
ＣＰＵ１１は、利用者から前記機能追加指示を受け付けていないと判定した場合（ステップＳ１０８：ＮＯ）、タッチパネル部７１から送信される信号に基づいて、「キャンセル」ソフトキー７５が操作されたか否かを判定し、操作されていないと判定した場合は、処理を再び（ステップＳ１０５）に戻す。
【００６２】
また、ＣＰＵ１１は、利用者から前記機能追加指示を受け付けたと判定した場合（ステップＳ１０８：ＹＥＳ）、ステップＳ１０２での処理と同様な方法によって、追加すべき機能の選択を受け付ける（ステップＳ１０９）。
【００６３】
以下に、追加すべき機能の選択を受け付ける処理について詳しく説明する。図６は本発明の実施の形態に係る複合機１００において、追加すべき機能の選択を受け付ける処理を説明する説明図である。説明の便宜上、利用者は‘２ページを１ページに集約印刷’機能の追加を希望するものとする。
【００６４】
利用者は、前記電子取扱説明書が表示されている表示部７の表示画面７６の下部に受け付けられている前記ソフトキーを適宜操作することにより、前記電子取扱説明書の中から、希望する機能に対する説明を探す。図６に示すように、希望する‘２ページを１ページに集約印刷’機能に対する説明が表示画面７６に表示された場合、利用者は、「アイコン作成」ソフトキー７２を適宜操作する。これによって、ＣＰＵ１１は、追加すべき機能の選択を利用者から受け付ける。
【００６５】
この際、図６に示すように、アイコン作成画面７７には、‘２ページを１ページに集約印刷’機能を説明する‘原稿２ページを１ページに印刷する’とのテキストが表示される。これによって、利用者は機能の追加を確認することができる。
【００６６】
このように、追加すべき機能の選択を利用者から受け付けた場合、ＣＰＵ１１は、受け付けた選択に係る機能（以下、被選択機能と言う。）が追加可能な機能であるか否かを判定する（ステップＳ１１０）。
【００６７】
斯かる判定は、被選択機能（２ページを１ページに集約印刷の機能）と、作成すべきアイコンに既に関連付けられている機能（両面印刷）とが、同時に実行し得る機能なのか、又は連繋して実行し得る機能なのかに基づいて行われる。
追加可能な機能としては、例えば、両面印刷及び集約印刷、読み込まれた画像データの外部送信及びコピー、読み込まれた画像データのＵＳＢメモリへの格納及びコピー等がある。また、追加不可能な機能としては、例えば、カラーコピーとモノクロコピーが挙げられる。
【００６８】
ＣＰＵ１１は、前記被選択機能が追加可能な機能でないと判定した場合（ステップＳ１１０：ＮＯ）、処理をステップＳ１０５に戻す。
【００６９】
一方、ＣＰＵ１１は、前記被選択機能が追加可能な機能であると判定した場合（ステップＳ１１０：ＹＥＳ）、タッチパネル部７１から送信される信号に基づいて、「作成実行」ソフトキー７３が操作されたか否かを監視することにより、利用者からアイコンの作成実行指示を受け付けたか否かを更に判定する（ステップＳ１１１）。
【００７０】
ＣＰＵ１１は利用者からアイコンの作成実行指示を受け付けていないと判定した場合（ステップＳ１１１：ＮＯ）、処理をステップＳ１０８に戻す。
【００７１】
また、ＣＰＵ１１は、利用者から前記アイコンの作成実行指示を受け付けたと判定した場合（ステップＳ１１１：ＹＥＳ）、現在、表示画面７６に表示中の機能（２ページを１ページに集約印刷）、換言すれば、今回追加された機能を、作成すべきアイコンに関連付けて記憶するよう、記憶部８に指示する。
【００７２】
斯かるＣＰＵ１１の指示に応じて、記憶部８は、表示画面７６に表示中の機能、すなわち‘両面印刷’の機能に加え、‘２ページを１ページに集約印刷’の機能を、作成すべきアイコンに関連付けて記憶する（ステップＳ１１２）。
【００７３】
以降、上述したように、位置受付部１６が作成されるべきアイコンの表示位置の指定を利用者から受け付ける。ＣＰＵ１１は、位置受付部１６が受け付けた、アイコンの表示位置の指定に基づき、特定アイコンを作成して表示する（ステップＳ１１３）。
【００７４】
図７は本発明の実施の形態に係る複合機１００において、表示部７の表示画面７６に表示された特定アイコンの一例を示す例示図である。説明の便宜上、位置受付部１６が特定アイコンの表示位置としていわゆるホーム画面を受け付けたこととする。
【００７５】
図７に示したように、位置受付部１６が受け付けた指示に係るホーム画面に、ステップＳ１０４にて利用者から受け付けた名称「ＸＸＸＸ」が付された特定アイコンが表示される。この際、例えば、利用者が該特定アイコンを指先にてタッチした場合、実行指示受付部１５は、前記特定アイコンを介して斯かる対応機能を実行する指示を受け付け、ＣＰＵ１１が該特定アイコンに係る対応機能である‘両面印刷’及び‘２ページを１ページに集約印刷’の機能を実行する。
【００７６】
（第２実施の形態）
図８は本発明の実施の形態に係る複合機１００において、表示部７の表示画面７６に表示された特定アイコンの他例を示す例示図である。斯かる他例においては、位置受付部１６が特定アイコン７８の表示位置としてコピーファンクションの基本画面を受け付けたこととする。前記コピーファンクションの基本画面では、コピーに係る様々な機能を設定する際に高頻度で使用される機能（カラー選択、等倍、倍率、用紙選択、試しコピー等）のソフトキーが表示され、これらは設定変更不可能である。このようなソフトキー以外でコピーに係る様々な機能を設定する際に使われる機能（その他の機能）のうち、比較的よく使われる機能のアイコン（ショートカット）も表示される。図８に表示されている、仕上げ、両面、濃度、原稿の種類等のアイコンはあくまでも一例であり、ユーザの用途に合わせて設定の変更が可能である。例えば、特定アイコン７８は、斯かるアイコンと共に表示されている。
【００７７】
図８に示したように、位置受付部１６が受け付けた指示に係るコピーファンクションの基本画面に、ステップＳ１０４にて利用者から受け付けた名称「ＸＸＸＸ」が付された特定アイコン７８が表示される。この際、例えば、利用者が特定アイコン７８を指先にてタッチした場合、実行指示受付部１５は、特定アイコン７８を介して斯かる対応機能を実行する指示を受け付け、ＣＰＵ１１が特定アイコン７８に係る対応機能である‘両面印刷’及び‘２ページを１ページに集約印刷’の機能を実行する。
【００７８】
（第３実施の形態）
図９は本発明の実施の形態に係る複合機１００において、表示部７の表示画面７６に表示された特定アイコンの他例を示す例示図である。斯かる他例においては、位置受付部１６が特定アイコン７８の表示位置としてコピーファンクションの基本画面を受け付けたこととする。前記コピーファンクションの基本画面には、メッセージ表示エリア７６Ａ、アイコン表示エリア７６Ｂ、日時／メモリー残量／トナー残量表示エリア７６Ｃ、設定確認７６Ｄ、及び機能表示エリア７６Ｅが表示されている。
【００７９】
メッセージ表示エリア７６Ａには、自機の状態、操作手順などのメッセージが表示される。アイコン表示エリア７６Ｂには、自機の状態を示すアイコンを表示する必要が生じた場合、例えば、ジョブの状態、警告、ＵＳＢメモリーの接続状態などを示すアイコンが表示される。日時／メモリー残量／トナー残量表示エリア７６Ｃには、現在の日時、メモリー残量、各色のトナー残量が表示される。設定確認７６Ｄでは、各モードで現在設定されている機能を確認できる。また、機能表示エリア７６Ｅでは、各モードに係る様々な機能を設定する際に高頻度で使用される機能キーが表示され、ユーザの用途に併せて設定の変更可能である。
【００８０】
また、コピーファンクションの基本画面には、前記読み込んだ原稿画像に対して、拡大、縮小等の処理を施した場合、集約印刷にて出力する場合のプレビュー画像が表示される。更に、読み込んだ原稿に対して設定（カラー変更、濃度変更、倍率変更、集約印刷における集約ページ数変更等）の変更があった場合、斯かる設定の変更が反映されたプレビュー画像が、読み込まれた原稿画像と併せて表示される。例えば、特定アイコン７８は、斯かるプレビュー画像と共に表示されている。
【００８１】
図９に示したように、位置受付部１６が受け付けた指示に係るコピーファンクションの基本画面に、ステップＳ１０４にて利用者から受け付けた名称「ＸＸＸＸ」が付された特定アイコン７８が表示される。この際、例えば、利用者が特定アイコン７８を指先にてタッチした場合、実行指示受付部１５は、特定アイコン７８を介して斯かる対応機能を実行する指示を受け付け、ＣＰＵ１１が特定アイコン７８に係る対応機能である‘両面印刷’及び‘２ページを１ページに集約印刷’の機能を実行する。
【００８２】
（第４実施の形態）
図１０は本発明の実施の形態に係る複合機１００において、表示部７の表示画面７６に表示された特定アイコンの他例を示す例示図である。斯かる他例においては、位置受付部１６が特定アイコン７８の表示位置としてコピーファンクションの基本画面を受け付けたこととする。前記コピーファンクションの基本画面には、エリア７６Ｆ、エリア７６Ｇ、エリア７６Ｈ、エリア７６Ｉが表示されている。
【００８３】
エリア７６Ｆには基本コピー設定タブの各種項目（カラーモード、コピー部数、給紙トレイ、原稿種類、コピー濃度、特殊原稿設定、原稿セット方向、表紙／合紙、編集／カラー、両面／集約／分割、仕上げの初期値等）が表示され、各々の機能毎に設定／変更が可能である。エリア７６Ｇには頻繁に使用する機能のうち６つまでが、登録機能キーとして登録されて表示され、エリア７６Ｈには、よく使う設定、操作条件が初期値として登録され、これらに対応するアイコン（ショートカット）が表示される。ユーザが斯かるアイコンを適宜操作することで斯かる機能を呼び出すことができ、例えば、特定アイコン７８は、斯かるアイコンと共に表示されている。エリア７６Ｉには、コピーに係る各種設定をユーザから受け付けるためのタブが表示されている。
【００８４】
図１０に示したように、位置受付部１６が受け付けた指示に係るコピーファンクションの基本画面に、ステップＳ１０４にて利用者から受け付けた名称「ＸＸＸＸ」が付された特定アイコン７８が表示される。この際、例えば、利用者が特定アイコン７８を指先にてタッチした場合、実行指示受付部１５は、特定アイコン７８を介して斯かる対応機能を実行する指示を受け付け、ＣＰＵ１１が特定アイコン７８に係る対応機能である‘両面印刷’及び‘２ページを１ページに集約印刷’の機能を実行する。
【００８５】
（第５実施の形態）
図１１は本発明の実施の形態に係る複合機１００において、表示部７の表示画面７６に表示された特定アイコンの他例を示す例示図である。斯かる他例においては、位置受付部１６が特定アイコン７８の表示位置としてファクシミリファンクションの基本画面を受け付けたこととする。前記ファクシミリファンクションの基本画面には、よく使うファクスミリ通信の宛先をあらかじめ登録しておいた「ワンタッチ」アイコン、新規に宛先を入力するための「新規に入力」アイコン等が表示されている。例えば、特定アイコン７８は、斯かるアイコンと共に表示されている。
【００８６】
図１１に示したように、位置受付部１６が受け付けた指示に係るファクシミリファンクションの基本画面に、ステップＳ１０４にて利用者から受け付けた名称「ＸＸＸＸ」が付された特定アイコン７８が表示される。この際、例えば、利用者が特定アイコン７８を指先にてタッチした場合、実行指示受付部１５は、特定アイコン７８を介して斯かる対応機能を実行する指示を受け付け、ＣＰＵ１１が特定アイコン７８に係る対応機能である‘両面印刷’及び‘２ページを１ページに集約印刷’の機能を実行する。
【００８７】
（第６実施の形態）
図１２は本発明の実施の形態に係る複合機１００において、表示部７の表示画面７６に表示された特定アイコンの他例を示す例示図である。斯かる他例においては、位置受付部１６が特定アイコン７８の表示位置として、ファクシミリファンクションにて宛先の選択画面を受け付けたこととする。斯かる宛先の選択画面においては、宛先の選択を受け付ける「登録宛先から」、「直接入力」、「履歴から選択」及び「宛先検索」のアイコンが設けられている。これら以外にも、前記宛先の選択画面には、スキャン対象の選択を受け付ける「片面/ 両面」スキャンの解像度設定を受け付ける「解像度」、スキャンデータを保存するファイル形式の選択を受け付ける「ファイル形式」、スキャンすべき原稿のサイズ設定を受け付ける「読込みサイズ」などのアイコンが表示されている。例えば、特定アイコン７８は、斯かるアイコンと共に表示されている。
【００８８】
図１２に示したように、位置受付部１６が受け付けた指示に係るファクシミリファンクションの基本画面に、ステップＳ１０４にて利用者から受け付けた名称「ＸＸＸＸ」が付された特定アイコン７８が表示される。この際、例えば、利用者が特定アイコン７８を指先にてタッチした場合、実行指示受付部１５は、特定アイコン７８を介して斯かる対応機能を実行する指示を受け付け、ＣＰＵ１１が特定アイコン７８に係る対応機能である‘両面印刷’及び‘２ページを１ページに集約印刷’の機能を実行する。
【００８９】
なお、上述した作成指示受付部１４、実行指示受付部１５及び位置受付部１６は、ハードウェアロジックによって構成してもよいし、ＣＰＵ１１が所定のプログラムを実行することにより、ソフトウェア的に構築されてもよい。
【００９０】
以上においては、一つ又は複数の機能を一つのアイコンに関連付けて、該アイコンを介して、関連付けられた機能を実行する指示を受け付けることについて説明したが、本発明は前記アイコンに限るものでなく、例えば、ソフトボタン、プレスバー、メニューバーであっても良い。
【００９１】
本発明においては、複数の機能を有しており、各機能に係る情報を表示する表示部７を備える電気機器１００において、一の機能に係る情報が表示されている場合、アイコン７８を作成して表示する指示を受け付ける作成指示受付手段１４と、前記一の機能を前記アイコン７８に対応付けて記憶する記憶部８と、前記アイコン７８を介して前記一の機能を実行する指示を受け付ける実行指示受付手段１５とを備えることを特徴とする。
本発明によれば、使用したい機能に係る情報を調べる際に、該機能を実行させる指示を受け付けるアイコンを作成することにより、利用者が同じ機能を使用する度に前記情報を調べる必要が無く、利用者が該アイコンを適宜操作するだけで簡単に斯かる機能の実行が可能である。
本発明においては、前記記憶部は電子取扱説明書を記憶しており、前記一の機能に係る情報は、前記電子取扱説明書に含まれている所定の機能に係る説明であることを特徴とする。
本発明によれば、前記電子取扱説明書には自機の有する複数の機能に係る説明が含まれており、前記一の機能に係る情報は、前記電子取扱説明書に含まれている所定の機能に係る説明である。
本発明においては、前記作成指示受付手段がアイコンを作成して表示する指示を受け付けた場合、前記表示部に表示中の説明の画像に対して文字認識を行ない、前記一の機能を特定するように構成されていることを特徴とする。
本発明によれば、例えば、前記電子取扱説明書に含まれている所定の機能に係る説明が前記表示部に表示されている場合、前記作成指示受付手段がアイコンを作成して表示する指示を受け付けたときは、前記表示部に表示中の説明の画像に対して文字認識が行われ、前記一の機能が特定される。
本発明においては、前記記憶部８は他の機能を前記アイコン７８に対応付けて記憶し、前記実行指示受付手段１５は、前記アイコン７８を介して前記一の機能及び他の機能を実行する指示を受け付けるように構成してあることを特徴とする。
本発明によれば、利用者が同じ機能を使用する度に前記情報を調べる必要が無く、かつ利用者が前記アイコンを適宜操作するだけで関連付けられている複数の機能を簡単に実行することが可能である。  
本発明においては、前記一の機能と、前記他の機能とは連繋して実行できる機能であることを特徴とする。
本発明によれば、利用者が前記アイコンを適宜操作するだけで、連繋して実行できる前記一の機能と、前記他の機能とを共に実行することが可能である。  
本発明においては、前記一の機能と、前記他の機能とは同時に実行できる機能であることを特徴とする。
本発明によれば、利用者が前記アイコンを適宜操作するだけで、同時に実行できる前記一の機能と、前記他の機能とを共に実行することが可能である。
本発明においては、前記アイコン７８を表示すべき位置の指定を受け付ける位置受付手段１６を備え、前記表示部７は、該位置受付手段１６が受け付けた指定に係る位置に、前記アイコン７８を表示するように構成してあることを特徴とする。
本発明によれば、前記アイコンを作成して表示する際に、例えば、表示部７の表示画面上、所定のディレクトリー等、利用者が希望する位置の指定を前記位置受付手段１６が受け付け、これに基づいて、該アイコンを表示することができる。
【符号の説明】
【００９２】
７  表示部  
８  記憶部  
１１  ＣＰＵ  
１４  作成指示受付部
１５  実行指示受付部
１６  位置受付部
１００  複合機
【図１】
0005619261.tif 000002
【図２】
0005619261.tif 000003
【図３】
0005619261.tif 000004
【図４】
0005619261.tif 000005
【図５】
0005619261.tif 000006
【図６】
0005619261.tif 000007
【図７】
0005619261.tif 000008
【図８】
0005619261.tif 000009
【図９】
0005619261.tif 000010
【図１０】
0005619261.tif 000011
【図１１】
0005619261.tif 000012
【図１２】
0005619261.tif 000013